(57)【要約】【課題】シリンドリカルレンズ等の光透過型の光学部品を容易に接着する。【解決手段】シリンドリカルレンズ１１１  および１１２  を凸面を上側にして、レンズホルダー１１０  の開口部１１３  内へ挿入する。レンズ１１１  および１１２  の開口部１１３  の長手方向における位置を調整し、接着剤保持部１１６  の近傍で、シリンドリカルレンズ１１１  および１１２  の端面を当接させる。可視光を遮断した状態で、接着剤保持部１１６  へ粘度の低い可視光硬化型の接着剤１０６  を注入する。接着剤１０６  は、表面張力により、接着剤保持部１１６  から、開口部１１３  の側面および鍔状部１１４  へと広がり、各レンズと開口部１１３の側面および鍔状部１１４  との接触部、およびレンズ１１１  および１１２  の端面の当接部１１７  へ充填される。その後、可視光を照射し、接着剤１０６  を硬化することにより、レンズ１１１  および１１２  の端面の当接部１１７  が接着され、また、レンズ１１１  および１１２  は、レンズホルダー１１０  に接着される。【選択図】          図３
2005043455.tif 000002
【特許請求の範囲】
【請求項１】
光透過型の光学部品の端面と他の光透過型の光学部品の端面とが当接した状態で、前記光学部品を保持する光学部品保持体と、
該光学部品保持体に形成された、前記端面と端面との当接部へ連通する接着剤保持部とを有し、
該接着剤保持部に保持された接着剤が表面張力により前記当接部に充填され、前記端面と端面とが接着されるように構成されていることを特徴とする光学部品ホルダー。
【請求項２】
光透過型の光学部品の端面と他の光透過型の光学部品の端面とが当接した状態で、前記光学部品を保持する光学部品保持体と、該光学部品保持体に形成された、前記端面と端面との当接部に連通する接着剤保持部とを有し、該接着剤保持部に保持された接着剤が表面張力により前記当接部に充填され、前記端面と端面とが接着されるように構成されている光学部品ホルダーの前記光学部品保持体へ、前記光学部品を前記端面と端面とが当接するように保持せしめ、
前記接着剤保持部へ接着剤を注入して前記端面と端面とを接着することを特徴とする光学部品の接着方法。
【請求項３】
前記接着剤の屈折率が、前記光学部品の屈折率と略同一であることを特徴とする請求項２記載の光学部品の接着方法。
【請求項４】
ライン状の光源と、該光源から射出された光を、該光源の長手方向に直交する方向に集束させるレンズユニットを備えた露光装置であって、
前記レンズユニットが、複数枚のレンズの端面と端面とが当接した状態で、前記複数枚のレンズを保持する光学部品保持体と、該光学部品保持体に形成された、前記端面と端面との当接部に連通する接着剤保持部とを有し、該接着剤保持部に保持された接着剤が表面張力により前記当接部に充填され、前記端面と端面とが接着されるように構成されている光学部品ホルダーの前記光学部品保持体へ、複数枚のレンズを端面と端面とが当接するように保持せしめ、前記接着剤保持部へ接着剤を注入して前記端面と端面とを接着したものであることを特徴とする光学部品の露光装置。
【請求項５】
前記レンズユニットが、前記光源から射出された光の進行方向に重ねられて配置された第１および第２シリンドリカルレンズユニットから構成されるものであり、
前記第１シリンドリカルレンズユニットにおける当接部の位置と前記第２シリンドリカルレンズユニットにおける当接部の位置とが前記光源の長手方向において異なることを特徴とする請求項４記載の露光装置。
【請求項６】
前記光源が直線状に列設された多数の発光素子から構成されるものであり、
前記第１シリンドリカルレンズユニットにおける前記当接部の位置と前記第２シリンドリカルレンズユニットにおける前記当接部の位置とが、発光素子の発光面から垂直に射出された読取光が前記第１および第２シリンドリカルレンズユニットを透過する位置と一致しないように前記第１および第２シリンドリカルレンズユニットが配置されていることを特徴とする請求項４または５記載の露光装置。
【発明の詳細な説明】
【０００１】
【発明の属する技術分野】
本発明は、複数個の光学部品を保持する光学部品ホルダー、該光学部品ホルダーを用いて複数個の光学部品を接着させる光学部品の接着方法および複数枚のレンズが光学部品ホルダー内に保持されたレンズユニットを備えた露光装置に関するものである。
【０００２】
【従来の技術】
従来より、医療用Ｘ線撮影において、被験者が受ける被爆線量の減少、診断性能の向上等のために、Ｘ線に感応する例えばａ−Ｓｅから成るセレン板等の光導電体を静電記録体として用い、静電記録体に放射線画像情報を担持するＸ線等の放射線を照射して、放射線画像情報を担持する潜像電荷を静電記録体に蓄積せしめ、その後読取光で静電記録体を走査することにより静電記録体内に生じる電流を静電記録体両側の平板電極あるいはストライプ電極を介して検出することにより、潜像電荷が担持する静電潜像、すなわち放射線画像情報を読み取る画像情報読取システムが知られている（例えば特許文献１参照）。
【０００３】
この特許文献１に記載されたシステムでは、光源から発せられた読取光で静電記録体を走査して、静電記録体に記録された静電潜像を読み取るものである。読取光を出力する光源である読取用露光装置としては、多数の発光素子が線状に並べられたライン光源を用いた装置が挙げられている。
【０００４】
上記ライン光源の一つとして、ＬＥＤをアレイ状に並べたライン光源を用いる方法が知られている（例えば特許文献２参照）。ＬＥＤは入力エネルギーに対する光出力の効率が高く、またレーザー等に比べコストを抑えることができる。このようなライン光源を用いた場合には、各ＬＥＤから射出された光は、ＬＥＤの列設方向と平行に配されたシリンドリカルレンズ等により、ＬＥＤの列設方向に直交する走査方向に集光され、静電記録体上にライン状の読取光として照射される。この読取光により、静電記録体を走査露光して画像情報の読み取りを行う。
【０００５】
上記のようなシリンドリカルレンズを用いた読取用露光装置の一例を図１１に示す。図１１（Ａ）は、読取用露光装置２００  を走査方向（以下、Ｙ方向と記載）からみた平面図である。なお、以下ＬＥＤの列設方向をＺ方向、Ｙ−Ｚ平面と垂直な方向をＸ方向とする。図１１（Ｂ）は、読取用露光装置２００  のＸ−Ｙ断面図である。この読取用露光装置２００  は、複数の面発光型のＬＥＤチップ１０１ａ，１０１ｂ，１０１ｃ…が直線状に列設されたライン光源１０１  と、該ライン光源１０１  の長手方向に延びる開口部１０２ａ  を有するスリット１０２と、ＬＥＤチップ１０１ａ，１０１ｂ，…の配設ピッチと同ピッチで貫通孔が形成されているホールアレイ１０３  と、読取光ＬをＹ方向に集束させるシリンドリカルレンズ２０１  および２０２  とからなるものである。
【０００６】
スリット１０２  は、ライン光源１０１  のＬＥＤの発光像を制限する視野絞りである。また、ホールアレイ１０３  は、ＬＥＤチップ１０１ａ，１０１ｂ，…の配設ピッチと同ピッチで正方形の貫通孔が形成されているものであり、所定の厚みを有し、ＬＥＤチップ１０１ａ，１０１ｂ，…から発せられた光の広がり角をＹ方向およびＺ方向に角度制限するものである。
【０００７】
各ＬＥＤチップ１０１ａ，１０１ｂ，…の発光像はスリット１０２  の開口部において制限され、ホールアレイ１０３  の貫通孔により広がり角を角度制限され、シリンドリカルレンズ２０１  および２０２  によりＹ方向に集光されて静電記録体１０上に照射される。
【０００８】
【特許文献１】
特開２０００−１０５２９７号公報
【０００９】
【特許文献２】
特開２００１−２９０２２８号公報
【００１０】
【発明が解決しようとする課題】
図１１に示すような読取用露光装置は小型化が進められ、近年では、そのＸ方向の大きさ、すなわち読取用露光装置の厚さを低減するための工夫も種々提案されている。例えば、シリンドリカルレンズとしては、曲率半径数ミリ以下の小型のシリンドリカルレンズの搭載が検討されている。一方、読取用露光装置のＺ方向の大きさ、すなわち発光素子の列設方向の長さは、静電記録体の大きさにより規定されるため、短くなることはない。このため、例えば半切サイズの静電記録体から画像情報を読み取るために、シリンドリカルレンズとして曲率半径１ｍｍのものを使用した場合であれば、幅２ｍｍ以下で、長さ４３０ｍｍ以上のレンズを配設する必要がある。このようなシリンドリカルレンズは製造が困難であり、また製造できても、高価で壊れやすいものとなってしまう。このため、例えば複数本の短いシリンドリカルレンズを接着して、長いシリンドリカルレンズを作成することが考えられるが、上記のような幅の狭いシリンドリカルレンズを接着すること、またこの接着されたシリンドリカルレンズを取り扱うことは、如何に手先の器用な人であっても、困難な作業となるという問題がある。
【００１１】
本発明は、上記の問題に鑑みてなされたものであり、シリンドリカルレンズ等の光透過型の光学部品を容易に接着可能な光学部品ホルダーを提供すること、また光透過型の光学部品を容易に接着可能な光学部品の接着方法を提供することを目的とする。
【００１２】
また、本発明の他の目的は、取り扱いの容易な露光装置を提供することを目的とするものである。
【００１３】
【課題を解決するための手段】
本発明の光学部品ホルダーは、光透過型の光学部品の端面と他の光透過型の光学部品の端面とが当接した状態で、前記光学部品を保持する光学部品保持体と、
該光学部品保持体に形成された、前記端面と端面との当接部へ連通する接着剤保持部とを有し、
該接着剤保持部に保持された接着剤が表面張力により前記当接部に充填され、前記端面と端面とが接着されるように構成されていることを特徴とするものである。
【００１４】
なお、ここで「端面と端面との当接部へ連通する接着剤保持部」とは、接着剤保持部へ接着剤を保持させると、その接着剤が当接部に移動可能であることを意味している。
【００１５】
本発明の光学部品の接着方法は、光透過型の光学部品の端面と他の光透過型の光学部品の端面とが当接した状態で、前記光学部品を保持する光学部品保持体と、該光学部品保持体に形成された、前記端面と端面との当接部に連通する接着剤保持部とを有し、該接着剤保持部に保持された接着剤が表面張力により前記当接部に充填され、前記端面と端面とが接着されるように構成されている光学部品ホルダーの前記光学部品保持体へ、前記光学部品を前記端面と端面とが当接するように保持せしめ、
前記接着剤保持部へ接着剤を注入して前記端面と端面とを接着することを特徴とするものである。上記接着剤の屈折率は、前記光学部品の屈折率と略同一であってもよい。
【００１６】
本発明の露光装置は、ライン状の光源と、該光源から射出された光を、該光源の長手方向に直交する方向に集束させるレンズユニットを備えた露光装置であって、
前記レンズユニットが、複数枚のレンズの端面と端面とが当接した状態で、前記複数枚のレンズを保持する光学部品保持体と、該光学部品保持体に形成された、前記端面と端面との当接部に連通する接着剤保持部とを有し、該接着剤保持部に保持された接着剤が表面張力により前記当接部に充填され、前記端面と端面とが接着されるように構成されている光学部品ホルダーの前記光学部品保持体へ、複数枚のレンズを端面と端面とが当接するように保持せしめ、前記接着剤保持部へ接着剤を注入して前記端面と端面とを接着したものであることを特徴とするものである。
【００１７】
前記レンズユニットが、前記光源から射出された光の進行方向に重ねられて配置された第１および第２シリンドリカルレンズユニットから構成されるものであれば、
前記第１シリンドリカルレンズユニットにおける当接部の位置と前記第２シリンドリカルレンズユニットにおける当接部の位置とは、前記光源の長手方向において異なってもよい。
【００１８】
前記光源が直線状に列設された多数の発光素子から構成されるものであれば、前記第１シリンドリカルレンズユニットにおける前記当接部の位置と前記第２シリンドリカルレンズユニットにおける前記当接部の位置とが、発光素子の発光面から垂直に射出された読取光が前記第１および第２シリンドリカルレンズユニットを透過する位置と一致しないように前記第１および第２シリンドリカルレンズユニットが配置されていてもよい。
【００１９】
【発明の効果】
本発明の光学部品ホルダーは、光透過型の光学部品の端面と他の光透過型の光学部品の端面とが当接した状態で、前記光学部品を保持する光学部品保持体と、該光学部品保持体に形成された、前記端面と端面との当接部へ連通する接着剤保持部とを有し、該接着剤保持部に保持された接着剤が表面張力により前記当接部に充填され、前記端面と端面とが接着されるように構成されているので、この光学部品ホルダーを用いれば、容易に光学部品の端面と端面とを接着することができる。
【００２０】
本発明の光学部品の接着方法は、光透過型の光学部品の端面と他の光透過型の光学部品の端面とが当接した状態で、前記光学部品を保持する光学部品保持体と、該光学部品保持体に形成された、前記端面と端面との当接部に連通する接着剤保持部とを有し、該接着剤保持部に保持された接着剤が表面張力により前記当接部に充填され、前記端面と端面が接着されるように構成されている光学部品ホルダーの前記光学部品保持体へ、前記光学部品を前記端面と端面とが当接するように保持せしめ、前記接着剤保持部へ接着剤を注入して前記端面と端面とを接着しているので、容易に光学部品の端面と端面とを接着することができる。
【００２１】
また、前記接着剤の屈折率が、前記光学部品の屈折率と略同一であれば、接着剤が充填されている当接部におけるノイズ光の発生を抑制することができる。
【００２２】
本発明の露光装置はライン状の光源と、該光源から射出された光を、該光源の長手方向に直交する方向に集束させるレンズユニットを備えた露光装置であって、前記レンズユニットが、複数枚のレンズの端面と端面とが当接した状態で、前記複数枚のレンズを保持する光学部品保持体と、該光学部品保持体に形成された、前記端面と端面との当接部に連通する接着剤保持部とを有し、該接着剤保持部に保持された接着剤が表面張力により前記当接部に充填され、前記端面と端面とが接着されるように構成されている光学部品ホルダーの前記光学部品保持体へ、複数枚のレンズを端面と端面とが当接するように保持せしめ、前記接着剤保持部へ接着剤を注入して前記端面と端面とを接着したものであるので、接着されたレンズの当接部が外れる虞がなく、取り扱いが容易となる。
【００２３】
上記レンズユニットが、光源から射出された光の進行方向に重ねられて配置された第１および第２シリンドリカルレンズユニットから構成されるものであり、第１シリンドリカルレンズユニットにおける当接部の位置と第２シリンドリカルレンズユニットにおける当接部の位置とが光源の長手方向において異なる場合には、読取光が第１シリンドリカルレンズユニットにおける当接部と第２シリンドリカルレンズユニットにおける当接部の２カ所を透過する可能性が低減し、ノイズ光の発生を抑制することができる。
【００２４】
前記光源が直線状に列設された多数の発光素子から構成されるものであり、第１シリンドリカルレンズユニットにおけるの当接部の位置および第２シリンドリカルレンズユニットにおける当接部の位置が、発光素子の発光面から垂直に射出された読取光が、前記第１および第２シリンドリカルレンズユニットを透過する位置と一致しないように前記第１および第２シリンドリカルレンズユニットが配置されていれば、発光素子の発光面から垂直に射出された最も光強度の大きい読取光が、第１シリンドリカルレンズユニットにおける当接部および第２シリンドリカルレンズユニットにおける当接部を透過することがないため、ノイズ光の発生を抑制することができる。
【００２５】
【発明の実施の形態】
以下、図面を参照して本発明の実施の形態について説明する。図１に示すのは、本発明の一実施形態の読取用露光装置１００  を利用した放射線画像情報読取システムの概略構成図である。図１（Ａ）は斜視図、図１（Ｂ）はＸ−Ｚ断面図である。図１に示すように、このシステムは、ガラス基板６上に形成された静電記録体１０と、画像情報読取時に該静電記録体１０に対して読取光Ｌを照射する読取用露光装置１００  と、読取光Ｌの走査により静電記録体１０から流れ出る電流を検出する電流検出手段５０とを備えてなる。
【００２６】
画像記録媒体である静電記録体１０は、放射線画像情報を静電潜像として記録し、読取光で走査されることにより前記静電潜像に応じた電流を発生するものであり、具体的には、記録用の放射線（例えば、Ｘ線等。以下「記録光」と称す。）に対して透過性を有する第１の導電体層１１、記録光の照射を受けることにより導電性を呈する記録用光導電層１２、第１の導電体層１１に帯電される電荷（潜像極性電荷；例えば負電荷）に対しては略絶縁体として作用し、かつ、該電荷と逆極性の電荷（輸送極性電荷；上述の例においては正電荷）に対しては略導電体として作用する電荷輸送層１３、読取光の照射を受けることにより導電性を呈する読取用光導電層１４、読取光に対して透過性を有する第２の導電体層１５が積層してなるものである。第２の導電体層１５は、図中斜線で示すように多数のエレメント（線状電極）１５ａ  が画素ピッチでストライプ状に配されたストライプ電極とされている。
【００２７】
電流検出手段５０は第２の導電体層１５の各エレメント１５ａ  毎に接続された多数の電流検出アンプ５１を有しており、読取光の露光により各エレメント１５ａ  に流れる電流をエレメント１５ａ  毎に並列的に検出するものである。静電記録体の第１の導電体層１１は接続手段５２の一方の入力および電源５３の負極に接続されており、電源５３の正極は接続手段５２の他方の入力に接続されている。図示していないが、接続手段５２の出力は各電流検出アンプ５１に接続されている。電流検出アンプ５１の構成の詳細については、本発明の要旨に関係がないのでここでは説明を省略するが、周知の構成を種々適用することが可能である。なお、電流検出アンプ５１の構成によっては、接続手段５２および電源５３の接続態様が上記例とは異なるものとなるのは勿論である。
【００２８】
以下上記構成の放射線画像情報読取システムの作用について説明する。静電記録体に静電潜像を記録する際には、先ず接続手段５２を電源５３に切り替え、第１の導電体層１１と第２の導電体層１５の各エレメント１５ａ  との間に直流電圧を印加し両導電体層を帯電させる。これにより静電記録体内の第１の導電体層１１とエレメント１５ａ  との間に、エレメント１５ａ  をＵ字の凹部とするＵ字状の電界が形成される。
【００２９】
次に記録光を不図示の被写体に爆射し、被写体を透過した記録光、すなわち被写体の放射線画像情報を担持する放射線を静電記録体に照射する。すると、静電記録体の記録用光導電層１２内で正負の電荷対が発生し、その内の負電荷が上述の電界分布に沿ってエレメント１５ａ  に集中せしめられ、記録用光導電層１２と電荷輸送層１３との界面に負電荷が蓄積される。この蓄積される負電荷（潜像電荷）の量は照射放射線量に略比例するので、この潜像電荷が静電潜像を担持することとなる。このようにして静電潜像が静電記録体に記録される。一方、記録用光導電層１２内で発生する正電荷は第１の導電体層１１に引き寄せられて、電源５３から注入された負電荷と電荷再結合し消滅する。
【００３０】
静電記録体から静電潜像を読み取る際には、先ず接続手段５２を静電記録体の第１の導電体層１１側に接続する。
【００３１】
読取用露光装置１００  から出力されるライン状の読取光Ｌがガラス基板６および静電記録体の導電体層１５の各エレメント１５ａ  を透過する。すると、光導電層１４内に正負の電荷対が発生し、その内の正電荷が記録用光導電層１２と電荷輸送層１３との界面に蓄積された負電荷（潜像電荷）に引きつけられるように電荷輸送層１３内を急速に移動し、記録用光導電層１２と電荷輸送層１３との界面で潜像電荷と電荷再結合し消滅する。一方、読取用光導電層１４に生じた負電荷は電源５３から導電体層１５に注入される正電荷と電荷再結合し消滅する。このようにして、静電記録体に蓄積されていた負電荷が電荷再結合により消滅し、この電荷再結合の際の電荷の移動による電流が静電記録体内に生じる。各エレメント１５ａ  毎に接続された電流検出アンプ５１により、この電流を各エレメント１５ａ  毎に並列的に検出する。読取りの際に静電記録体内を流れる電流は、潜像電荷すなわち静電潜像に応じたものであるから、この電流を検出することにより静電潜像を読み取ることができる。なお、読取用露光装置１００  は図中矢印方向に走査露光するものであり、これにより静電記録体１０の全面露光がなされる。
【００３２】
次に、放射線画像情報読取システムに適用された、本発明の一実施形態にかかる読取用露光装置１００  を図２に示してその構成と作用を説明する。図２（Ａ）は、図１に示す読取用露光装置１００  の詳細な構成を示した、Ｙ方向（ＬＥＤチップの列設方向と直交する方向）からみた側面図であり、図２（Ｂ）は、読取用露光装置１００  のＸ−Ｙ断面図である。なお、Ｘ方向は読取光Ｌの進行方向であり、Ｚ方向はＬＥＤチップの列設方向である。
【００３３】
図２に示すように、読取用露光装置１００  は、Ｚ方向に１ｍｍ間隔で線状に並べられている複数のＬＥＤチップ１０１ａ，１０１ｂ，…からなるライン光源１０１  と、Ｚ方向に延びる開口部１０２ａ  を有するスリット１０２と、ＬＥＤチップ１０１ａ，１０１ｂ，…の配設ピッチと同ピッチで貫通孔が形成されているホールアレイ１０３  と、読取光Ｌを、Ｙ方向に集束させるシリンドリカルレンズユニット１０４  および１０５  とからなるものである。
【００３４】
また、スリット１０２  は、ライン光源１０１  のＬＥＤの発光像を制限する視野絞りである。なお、スリット１０２  は、各ＬＥＤチップ１０１ａ，１０１ｂ，…の発光領域を制限するものであればよく、本実施形態のような開口を有する機械的なスリットのみならず、濃度分布フィルタ等の光学的な隙間であってもよい。
【００３５】
ホールアレイ１０３  は、ＬＥＤチップ１０１ａ，１０１ｂ，…の配設ピッチと同ピッチで円形の貫通孔が長手方向に列設され、ＬＥＤチップ１０１ａ，１０１ｂ，…から発せられた読取光Ｌの広がり角を角度制限するものである。
【００３６】
シリンドリカルレンズユニット１０４  は、図３の（Ａ）に示すようにレンズホルダー１１０  と、該レンズホルダー１１０  に可視光硬化型の接着剤１０６  により接着されて保持されているシリンドリカルレンズ１１１  および１１２  とから構成されている。またシリンドリカルレンズユニット１０５  は、図３の（Ｂ）に示すようにレンズホルダー１２０  と、該レンズホルダー１２０  に接着剤１０６  により接着されて保持されているシリンドリカルレンズ１２１、１２２  および１２３  とから構成されている。図３はシリンドリカルレンズユニット１０４  および１０５  の平面図であり、図４〜図６は各部位の断面図である。各シリンドリカルレンズは図７に外観を模式的に示すような平凸シリンドリカルレンズである。シリンドリカルレンズユニット１０４  および１０５は、保持しているシリンドリカルレンズが読取光Ｌの光路上に位置するように、また各シリンドリカルレンズの凸面側が対向するように平行かつ端部を揃えて配置されている。
【００３７】
以下シリンドリカルレンズユニット１０４  および１０５  の詳細な構成を説明する。図３はシリンドリカルレンズユニット１０４  および１０５  を、保持されているシリンドリカルレンズの凸面側から見た平面図である。なお、シリンドリカルレンズユニット１０４  および１０５  において、図３に記載した面を表面、反対側の面を裏面とする。
【００３８】
まず、シリンドリカルレンズユニット１０４  の構成を説明する。シリンドリカルレンズユニット１０４  のレンズホルダー１１０  は、幅２０ｍｍ、長さ１００ｍｍ、厚さ１．２ｍｍの板状の部材であり、中央部にシリンドリカルレンズ１１１  および１１２  を保持するための幅２．１ｍｍ、長さ８５ｍｍの開口部１１３  を有している。図３および図４に示すように、レンズホルダー１１０  の裏面側には、開口部１１３  の長手方向に沿った両側に厚さ０．２ｍｍ、幅０．３５ｍｍの鍔状部１１４  が設けられている。シリンドリカルレンズ１１１  および１１２  は、幅２ｍｍ、長さ４０ｍｍの同一形状の平凸シリンドリカルレンズであり、それぞれ、平面側が鍔状部１１４  と接するように、開口部１１３  内へ保持されて、接着されている。なお、シリンドリカルレンズ１１１  および１１２  の接着工程の詳細は後述する。
【００３９】
レンズホルダー１１０  の表面側において、開口部１１３  の長手方向の端部からそれぞれ２．５ｍｍ離れた位置には、接着剤保持部１１５  が設けられている。この位置における断面図を図５に示す。接着剤保持部１１５  は、開口部１１３  から、開口部１１３  の長手方向と垂直な２方向へ延びる幅０．５ｍｍ、深さ０．５ｍｍ、長さ６ｍｍの溝である。また、開口部１１３  の長手方向の中央部には、接着剤保持部１１６  が設けられている。この位置における断面図を図６に示す。接着剤保持部１１６  は、開口部１１３  から、開口部１１３  の長手方向と垂直な１方向へ延びる幅０．５ｍｍ、深さ０．５ｍｍ、長さ６ｍｍの溝である。
【００４０】
次に、シリンドリカルレンズユニット１０５  の構成を説明する。シリンドリカルレンズユニット１０５  のレンズホルダー１２０  は、幅２０ｍｍ、長さ１００ｍｍ、厚さ１．２ｍｍの板状の部材であり、中央部にシリンドリカルレンズ１２１、１２２および１２３  を保持するための幅２．１ｍｍ、長さ８５ｍｍの開口部１２４  を有している。図３および図４に示すように、レンズホルダー１２０  の裏面側には、開口部１２４  の長手方向に沿った両側に厚さ０．２ｍｍ、幅０．３５ｍｍの鍔状部１２５  が設けられている。シリンドリカルレンズ１２１  および１２３  は、幅２ｍｍ、長さ２０ｍｍの同一形状の平凸シリンドリカルレンズであり、シリンドリカルレンズ１２２  は、幅２ｍｍ、長さ４０ｍｍの平凸シリンドリカルレンズである。各レンズ１２１、１２２  および１２３  の平面側が鍔状部１２５  と接するように、開口部１２４  へ保持されて、接着されている。なお、各レンズの長手方向に垂直な断面形状は同一である。シリンドリカルレンズ１２１、１２２および１２３  の接着工程の詳細は後述する。
【００４１】
レンズホルダー１２０  の表面側において、開口部１２４  の長手方向の端部からそれぞれ２．５ｍｍ離れた位置には、接着剤保持部１２６  が設けられている。この位置における断面図を図５に示す。接着剤保持部１２６  は、開口部１２４  から、開口部１２４  の長手方向と垂直な２方向へ延びる幅０．５ｍｍ、深さ０．５ｍｍ、長さ６ｍｍの溝である。また、開口部１２４  の長手方向の各端部から２２．５ｍｍ離れた位置には、接着剤保持部１２７  が設けられている。この位置における断面図を図６に示す。接着剤保持部１２７  は、開口部１２４  から、開口部１２４  の長手方向と垂直な１方向へ延びる幅０．５ｍｍ、深さ０．５ｍｍ、長さ６ｍｍの溝である。なお、レンズホルダー１１０  および１２０  は、本発明の光学部品ホルダーであり、また光学部品支持体として機能するものである。
【００４２】
次にまず、レンズホルダー１１０  へ、シリンドリカルレンズ１１１  および１１２  を保持せしめ、接着する工程の詳細を説明する。まず、シリンドリカルレンズ１１１  および１１２  を凸面を上側にして、開口部１１３  内へ挿入する。開口部１１３  の長さは８５ｍｍであり、各レンズ１１１  および１１２  の長さは４０ｍｍであるため、各レンズの長手方向の両端部を治具により保持することにより、容易に開口部１１３  内へレンズを挿入することができる。各レンズは開口部１１３  の側面および鍔状部１１４  により保持される。次にレンズ１１１  および１１２  の開口部１１３  長手方向における位置を調整し、開口部１１３  の中央部、すなわち接着剤保持部１１６  の近傍で、シリンドリカルレンズ１１１  および１１２  の端面を当接させる。開口部１１３  の長手方向の両端には、それぞれ２．５ｍｍの空間ができる。
【００４３】
次に、可視光を遮断した状態で、接着剤保持部１１６  へ接着剤１０６  を注入する。接着剤１０６  は、粘度の低い可視光硬化型の接着剤であるため、表面張力により、接着剤保持部１１６  から、開口部１１３  の側面および鍔状部１１４  へと広がり、レンズ１１１  および１１２  と開口部１１３  の側面との接触部、レンズ１１１  および１１２  と鍔状部１１４  との接触部、およびレンズ１１１  および１１２  の端面の当接部１１７  へ充填される。
【００４４】
さらに、接着剤保持部１１５  へも接着剤１０６  を注入する。このため、レンズ１１１  および１１２  と開口部１１３の側面との接触部、レンズ１１１  および１１２  と鍔状部１１４  との接触部のほぼ全面に接着剤１０６  が充填される。その後、可視光を照射し、接着剤１０６  を硬化することにより、レンズ１１１  および１１２  の端面の当接部１１７  が接着され、また、レンズ１１１  および１１２  は、レンズホルダー１１０  に接着される。
【００４５】
次に、レンズホルダー１２０  へ、シリンドリカルレンズ１２１、１２２および１２３  を保持せしめて、接着する工程の詳細を説明する。まず、シリンドリカルレンズ１２１、１２２  および１２３  を凸面を上側にして、開口部１２４  へ挿入する。レンズ１２１、１２２および１２３  の開口部１２４  の長手方向の位置を調整し、開口部１２４  の長手方向の各端部から２２．５ｍｍ離れた位置、すなわち接着剤保持部１２７  の近傍で、レンズ１２１  と１２２  の端面およびレンズ１２２  と１２３  の端面を当接させる。開口部１２４  の長手方向の端部には、２．５ｍｍの空間ができる。
【００４６】
次に、可視光を遮断した状態で、接着剤保持部１２７  へ接着剤１０６  を注入する。接着剤１０６  は、表面張力により、各レンズと開口部１２４  の側面との接触部、各レンズと鍔状部１２５  との接触部、レンズ１２１  と１２２  の端面の当接部１２８  およびレンズ１２２  と１２３  の端面の当接部１２９  へ充填される。さらに、接着剤保持部１２６  へも接着剤１０６  を注入する。このため、各レンズと開口部１２４  の側面との接触部、各レンズと鍔状部１２５  との接触部のほぼ全面に接着剤１０６  が充填される。その後、可視光を照射し、接着剤１０６  を硬化することにより、レンズ１２１  と１２２  との当接部１２７  およびレンズ１２２  と１２３  との当接部１２８  が接着され、また、レンズ１２１、１２２および１２３  は、レンズホルダー１２０  に接着される。なお、接着剤１０６  としては、硬化した状態での接着剤１０６  の屈折率がシリンドリカルレンズの屈折率と略同一となる接着剤が使用されている。
【００４７】
以上の説明で明らかなように、レンズホルダー１１０  および１２０  を用い、レンズホルダーへ複数本のシリンドリカルレンズを端面と端面とが当接するように保持せしめ、該レンズホルダー上に形成された接着剤保持部へ接着剤１０６  を注入して、表面張力により接着剤１０６  をレンズ端面の当接部に充填せしめ、この当接部を接着すれば、容易にシリンドリカルレンズの端面と端面とを接着することができる。
【００４８】
また、硬化した状態での接着剤１０６  の屈折率が、シリンドリカルレンズの屈折率と略同一であれば、接着剤１０６  が充填されている当接部におけるノイズ光の発生を抑制することができる。
【００４９】
さらに、シリンドリカルレンズユニット１０４  およびシリンドリカルレンズユニット１０５  は、シリンドリカルレンズの当接部が外れる虞がなく、取り扱いが容易となる。
【００５０】
シリンドリカルレンズユニット１０４  における当接部１１７  の位置とシリンドリカルレンズユニット１０５  における当接部１２８  および１２９  の位置とがライン光源１０１  の長手方向において異なるように各レンズユニットが配置されているため、読取光Ｌがシリンドリカルレンズユニット１０４  における当接部１１７  とシリンドリカルレンズユニット１０５  における当接部１２８  または１２９  との２カ所を透過する可能性が低減し、ノイズ光の発生を抑制することができる。
【００５１】
さらに、図２に模式的に示すように、シリンドリカルレンズユニット１０４  の当接部１１７  の位置およびシリンドリカルレンズユニット１０５  の当接部１２８  および１２９  の位置が、ＬＥＤチップ１０１ａ，１０１ｂ，…の発光面から垂直に射出された読取光Ｌが、各シリンドリカルレンズユニットを透過する位置と一致しないように各シリンドリカルレンズユニットを配置することが好ましく、このように配置すれば、ＬＥＤチップ１０１ａ，１０１ｂ，…の発光面から垂直に射出された最も光強度の大きい読取光Ｌが、当接部１１７  、当接部１２８  または当接部１２９  を透過することがないため、ノイズ光の発生を抑制することができる。
【００５２】
なお、各シリンドリカルレンズユニットにおいて、開口部は、接着剤保持部が形成されていない部位の断面が、図４に示すような断面となるように形成されているが、例えばこの部位の断面が、図８に示すように、開口部の上部が広がるような形状となるように、開口部を形成してもよく、読取光Ｌが開口部の側面で蹴られる虞が低減する。
【００５３】
なお、本発明の読取用露光装置は、画像記録媒体として、ストライプ電極を用いた静電記録体を使用したが、本発明はこれに限定されない。すなわち、読取光で走査されることにより、放射線画像情報を坦持する静電電荷に応じた電流を発生するものであれば、どのような画像記録媒体にも適用することができる。
【００５４】
次に、本発明の読取用露光装置を適用した別の実施の形態を図９に示して説明する。図１０は、本発明の読取用露光装置１００  を、蓄積性蛍光体シートから画像を読み取る画像情報読取システムに適用したものである。なお、図１０は図９の露光装置の詳細な構成および輝尽発光光Ｍの検出部分を拡大して示した断面図である。
【００５５】
本画像情報読取システムは、予め放射線画像情報が蓄積記録された蓄積性蛍光体シート２１０  に対して読取光Ｌを照射せしめる本発明の読取用露光装置１００  と、該励起光Ｌの照射を受けて蓄積性蛍光体シート２１０  から発せられる輝尽発光光Ｍを集光検出する、矢印Ｘ方向に延びた光検出器２２０  と、光検出器２２０  に励起光である読取光Ｌが入射しないように光検出器２２０  の入射端面側に配された読取光カットフィルタ２２１  と、蓄積性蛍光体シート２１０  の表面側に設けられ輝尽発光光Ｍを効率よく光検出器２２０  の入射端面に導く矢印Ｘ方向に延びた集光ミラー２３０  と、蓄積性蛍光体シート２１０  を矢印Ｙ方向に搬送するベルトコンベヤであるシート搬送手段２４０  と、光検出器２２０  に接続されている図示しない信号処理部とからなる。なお、光検出器２２０  は、その長さ方向（矢印Ｘ方向）に配された複数の光電変換素子２２２  から構成されており、各光電変換素子２２２  が蓄積性蛍光体シート２１０  の対応する箇所毎（画素毎）の輝尽発光光を検出する。光電変換素子２２２  としては具体的には、アモルファスシリコンセンサ、ＣＣＤセンサ、ＭＯＳセンサ等を適用する。
【００５６】
次に本実施形態の画像情報読取システムの作用について説明する。読取用露光装置１００  から出力されるライン状の読取光Ｌが蓄積性蛍光体シート２１０  上に照射されるが、蓄積性蛍光体シート２１０  はシート搬送手段２４０  により矢印Ｙ方向へ移動され、蓄積性蛍光体シート２１０  の全面に亘って読取光Ｌが照射される。
【００５７】
読取光Ｌが照射された蓄積性蛍光体シート２１０  の部分からは、そこに蓄積記録されている放射線画像情報に応じた光量の輝尽発光光Ｍが発せられる。この発光した輝尽発光光Ｍは四方へ拡散し、その一部は光検出器２２０  の入射端面に入射し、一部は集光ミラー２３０  により反射されて光検出器２２０  の入射端面に入射される。この際、輝尽発光光Ｍに僅かに混在する、蓄積性蛍光体シート２１０  表面で反射した読取光Ｌが、読取光カットフィルタ２２１  によりカットされる。光検出器２２０  に集光された輝尽発光光Ｍは各光電変換素子２２２  において増幅、光電変換されて、各光電変換素子２２２  の対応する画素の画像信号Ｓとして外部の信号処理装置に出力される。
【００５８】
なお、読取用露光装置１００  は、そのＬＥＤチップとして蓄積性蛍光体シートから輝尽発光光を発光せしめるために適切な波長の光を出力するものを備えたものとする。
【００５９】
さらに、各実施の形態においては、ライン光源として、ＬＥＤチップが直線状に並べられたライン光源１０１  を用いたがこれに限定されるものではなく、例えば直線状の１本の無機ＥＬまたは有機ＥＬからなるライン光源等を用いることもできる。
【図面の簡単な説明】
【図１】本発明の読取用露光装置を利用した、静電記録体を備えた画像情報読取システムを示す図
【図２】読取用露光装置の詳細な構成を示す断面図
【図３】シリンドリカルレンズユニットの平面図
【図４】シリンドリカルレンズユニットの断面図
【図５】シリンドリカルレンズユニットの断面図
【図６】シリンドリカルレンズユニットの断面図
【図７】シリンドリカルレンズの外観模式図
【図８】シリンドリカルレンズユニットの断面図
【図９】本発明の読取用露光装置を利用した、蓄積性蛍光体シートからの画像情報読取システムを示す図
【図１０】読取用露光装置の詳細な構成を示す断面図
【図１１】従来の読取用露光装置の詳細な構成を示す断面図
【符号の説明】
６    ガラス基板
１０    静電記録体
１１    第１の導電体層
１２    記録用光導電層
１３    電荷輸送層
１４    読取用光導電層
１５    第２の導電体層
１５ａ    エレメント
５０    電流検出手段
５１    電流検出アンプ
５２    接続手段
５３    電源
１００、２００    読取用露光装置
１０１    ライン光源
１０１ａ，１０１ｂ，…    ＬＥＤチップ
１０２    スリット
１０３    ホールアレイ
１０４，１０５    シリンドリカルレンズユニット
１１０，１２０    レンズホルダー
１１１，１１２，１２１，１２２，１２３    シリンドリカルレンズ
１１３，１２４    開口部
１１５，１１６，１２６，１２７    接着剤保持部
１１７，１２８，１２９        当接部
２１０    蓄積性蛍光体シート
２２０    光検出器
２２１    読取光カットフィルタ
２２２    光電変換素子
２３０    集光ミラー
２４０    シート搬送手段
【図１】
2005043455.tif 000003
【図２】
2005043455.tif 000004
【図３】
2005043455.tif 000005
【図４】
2005043455.tif 000006
【図５】
2005043455.tif 000007
【図６】
2005043455.tif 000008
【図７】
2005043455.tif 000009
【図８】
2005043455.tif 000010
【図９】
2005043455.tif 000011
【図１０】
2005043455.tif 000012
【図１１】
2005043455.tif 000013